(57)【要約】      （修正有）【課題】狭い空間を有効に使って物品を収納でき、かつ収納用製品自体の収納・組立も容易な骨組みサポートバー構造を提供する。【解決手段】円嵌合体１とカンチレバー２及び枢着軸３が含有され、円嵌合体１は、軸方向嵌合孔１１があり、外縁の一側に、相対する両枢着耳１２が設置され、両枢着耳の間にある側壁に、弾性押さえ片１４が設置され、カンチレバー２は、棒体２１の一端に、枢着部２２が設置され、枢着部に、枢着孔が設けられ、端縁に、抵当面２２２が設置され、該枢着部が、円嵌合体１の両枢着耳１２の間に枢着され、カンチレバー２が、可動的に動揺でき、これにより、円嵌合体１の嵌合孔１１により、骨組みの立て柱の適当な位置に嵌設され、安定的に位置付けられ、実用性や使用便利性が向上される。  【選択図】図３
0003155794.tif 000002
【実用新案登録請求の範囲】
【請求項１】
軸方向嵌合孔があり、外縁の一側に、相対する二つの枢着耳が設置され、両枢着耳の間にある側壁に、中空槽が設置されて、弾性押さえ片が形成される円嵌合体と、
若干の係止孔を有する棒体の一端に、枢着部が設置され、枢着部の端縁に、抵当面が設置され、該枢着部が、円嵌合体の両枢着耳の間に設置されて、枢着軸により、枢着され、カンチレバーが、可動的に動揺できるカンチレバーと、
が含有される、
ことを特徴とする骨組みサポートバー構造。
【請求項２】
円嵌合体の中空槽が、凵形状であり、円嵌合体の弾性押さえ片の外縁の中央に、抵当突出が形成され、カンチレバーの枢着部抵当面に、抵当突出ブロックが設置されることを特徴とする請求項１に記載の骨組みサポートバー構造。
【請求項３】
カンチレバーの棒体のもう一端に、横方向連接スリーブが設置されることを特徴とする請求項１に記載の骨組みサポートバー構造。
【請求項４】
カンチレバーの棒体のもう一端の上縁に、ホック部が突出することを特徴とする請求項１に記載の骨組みサポートバー構造。
【請求項５】
カンチレバー棒体の係止孔の両端に、それぞれ、挿設槽が設置されることを特徴とする請求項１に記載の骨組みサポートバー構造。
【請求項６】
カンチレバーの枢着部の抵当面が、傾斜状凹み円弧であることを特徴とする請求項１に記載の骨組みサポートバー構造。
【考案の詳細な説明】
【技術分野】
【０００１】
本考案は、サポートバー構造に関し、特に、簡単に組立てられ、任意に位置を調整できる骨組みサポートバー構造に関する。
【背景技術】
【０００２】
今の社会において、小坪数の住宅が多く、住居空間が制限され、そのため、大部分の家において、空間を多く占用しなく、空間の利用価値を向上するために、骨組み式の製品を利用して、品物を収納し、また、骨組み式の製品の組み立てや収納が便利であるため、幅広いユーザーから、好評を得ている。
【０００３】
図１と図２を参照しながら、従来の組立て式骨組みサポートバー構造によれば、そのサポートバー１０は、カンチレバー１０１の一端に、嵌合部１０２が設置され、もう一端に、連接スリーブ１０３が設置され、該嵌合部１０２の上側に、傾斜スリーブ１０２１があり、スリーブ１０２１の底部から、下へ半円状円弧片１０２２が伸び、円弧片１０２２の内面の両側に、対応する凸起部１０２３がある。
【０００４】
立て柱２０に組立てる場合、サポートバー１０を、適当な上へ向う傾斜角度に回転して、その嵌合部１０２のスリーブ１０２１と円弧片１０２２とにより形成された嵌設口が、立て柱２０の外径より大きくなってから、嵌合部１０２を、立て柱２０の外縁に嵌設し、また、適当な位置に調整し、更に、サポートバー１０を下へ向って回転して、嵌合部１０２のスリーブ１０２１と円弧片１０２２とが、二点により、立て柱２０に挟み持ち、また、円弧片１０２２の内面両側にある凸起部１０２３に合わせて、摩擦抵抗により、立て柱２０に係止すると、位置付けの目的が実現され、また、独自に使用できるが、両サポートバー１０の連接スリーブ１０３の間に、横棒を組み立てて使用することもできる。
【０００５】
しかしながら、上記の従来の骨組みサポートバー構造は、以下のような欠点がある。
【０００６】
１、そのサポートバー１０は、重力を利用して、嵌合部１０２のスリーブ１０２１と円弧片１０２２とが、二点により、立て柱２０に挟み持ち、また、円弧片１０２２の内面両側にある凸起部１０２３に合わせて、摩擦抵抗により、立て柱２０に係止するが、安定性が悪く、簡単に外力による衝突や振動により、サポートバー１０が、下へ滑り落ちや変位する恐れがあり、実用性が良くない。
【０００７】
２、そのサポートバー１０は、重力により、嵌合部１０２が、立て柱２０に挟み持って位置付けられるため、嵌合部１０２の内径や凸起部１０２３の加工誤差により、サポートバー１０が、立て柱２０に組立てられた後、角度が一致しない恐れがあるため、実用的とは言えない。
【０００８】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００９】
本考案の主な目的は、そのサポートバーが、カンチレバーを回転することにより、カンチレバーの枢着部が、円嵌合体の弾性押さえ片の抵当突出に付勢して、弾性押さえ片が、円嵌合体内縁面で立て柱を挟み持つことにより位置付けられ、操作が方便で、位置付けの安定性がよく、実用性が向上される骨組みサポートバー構造を提供する。
【００１０】
本考案の他の目的は、そのサポートバーが、カンチレバーを回転して立て柱に挟み持って、位置付けられ、サポートバーが組立てられた後、角度が傾斜することがないため、より良い使用便利性が得られる骨組みサポートバー構造を提供する。
【課題を解決するための手段】
【００１１】
請求項１の考案は、軸方向嵌合孔があり、外縁の一側に、相対する二つの枢着耳が設置され、両枢着耳の間にある側壁に、中空槽が設置されて、弾性押さえ片が形成される円嵌合体と、若干の係止孔を有する棒体の一端に、枢着部が設置され、枢着部の端縁に、抵当面が設置され、該枢着部が、円嵌合体の両枢着耳の間に設置されて、枢着軸により、枢着され、カンチレバーが、可動的に動揺できるカンチレバーと、が含有されることを特徴とする骨組みサポートバー構造である。
【００１２】
請求項２の考案は、円嵌合体の中空槽が、凵形状であり、円嵌合体の弾性押さえ片の外縁の中央に、抵当突出が形成され、カンチレバーの枢着部抵当面に、抵当突出ブロックが設置されることを特徴とする請求項１に記載の骨組みサポートバー構造である。
【００１３】
請求項３の考案は、カンチレバーの棒体のもう一端に、横方向連接スリーブが設置されることを特徴とする請求項１に記載の骨組みサポートバー構造である。
【００１４】
請求項４の考案は、カンチレバーの棒体のもう一端の上縁に、ホック部が突出することを特徴とする請求項１に記載の骨組みサポートバー構造である。
【００１５】
請求項５の考案は、カンチレバー棒体の係止孔の両端に、それぞれ、挿設槽が設置されることを特徴とする請求項１に記載の骨組みサポートバー構造である。
【００１６】
請求項６の考案は、カンチレバーの枢着部の抵当面が、傾斜状凹み円弧であることを特徴とする請求項１に記載の骨組みサポートバー構造である。
【００１７】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１８】
以下、図面を参照しながら、本考案のより良い実施例について、詳しく説明する。
【００１９】
図３乃至図５を参照しながら、本考案は、円嵌合体１、一カンチレバー２と枢着軸３が、含有され、円嵌合体１は、軸方向嵌合孔１１があり、外縁の一側に、相対する二つの枢着耳１２が設置されて、該両枢着耳１２に、それぞれ、貫通孔１２１が形成され、両枢着耳１２の間にある側壁に、凵形状中空槽１３が設置され、中空槽１３内に、弾性押さえ片１４が形成され、また、該弾性押さえ片１４の外縁の中央に、抵当突出１４１が設けられ、カンチレバー２は、棒体２１の一端に、枢着部２２が設置され、もう一端に、横方向連接スリーブ２３が設置されるからなり、該棒体２１において、等距離に、若干の係止孔２１１が形成され、係止孔２１１の両端に、それぞれ、挿設槽２１２が形成され、枢着部２２は、枢着孔２２１があり、端縁に、傾斜状凹み円弧抵当面２２２が設置され、該傾斜状凹み円弧抵当面２２２に、抵当突出ブロック２２３が形成される。
【００２０】
カンチレバー２の枢着部２２を、円嵌合体１の両枢着耳１２の間にセットして、枢着軸３で、両枢着耳１２の貫通孔１２１とカンチレバー２枢着部２２の枢着孔２２1に枢着することにより、カンチレバー２が、上下に可動的に回転できるようになる。
【００２１】
本考案によれば、図６のように、円嵌合体１の嵌合孔１１が、骨組みの立て柱４に嵌設されて、適当な位置に調整してから、カンチレバー２を下へ回転させると、その枢着部２２の抵当面２２２上の抵当突出ブロック２２３が、円嵌合体１の弾性押さえ片１４の抵当突出１４１に抵当し、また、その枢着部２２の抵当面２２２が、円嵌合体１の外縁面に抵当することにより、弾性押さえ片１４が、内へ対して、弾性変形になり、また、弾性押さえ片１４が、円嵌合体１の内縁面に合わせて立て柱４を挟み持つため、安定的に位置付けられることができ、また、カンチレバー２を適当な角度に保つことができる。
【００２２】
また、図７のように、カンチレバー２の係止孔２１１に、ハンガー５や衣服を掛けることができ、また、直接に、カンチレバー２の連接スリーブ２３に、ハンガー５や衣服を掛けることもできる。
【００２３】
図８は、他の使用状態図であり、両サポートバーの連接スリーブ２３の間に、横棒６を挿設して衣服を掛けることができる。
【００２４】
また、図９は、更に他の使用状態図であり、両サポートバーの連接スリーブ２３の間に、横棒６を挿設し、両サポートバーの相対する挿設槽２１２の間に、サポートバー７を挿設することにより、品物を収納できる収納層として、利用でき。
【００２５】
また、収納層として使用する時、カンチレバーの枢着部の抵当面が、垂直状に設置されることにより、組立てられた収納層が、水平角度になる。
【００２６】
図１０は、更に他の実施例であり、円嵌合体１とカンチレバー２及び枢着軸３が含有され、円嵌合体１は、軸方向嵌合孔１１があり、外縁の一側に、相対する両枢着耳１２が設置され、該両枢着耳１２に、それぞれ、貫通孔１２１が形成され、両枢着耳１２の間にある側壁に、凵形状中空槽１３が設置され、また、中空槽１３内に、弾性押さえ片１４が形成され、また、該弾性押さえ片１４の外縁の中央に、抵当突出１４１が設けられ、カンチレバー２は、棒体２１の一端に、枢着部２２が設置され、もう一端の上縁に、ホック部２４が突出することにより、衣服を掛けることができ、該棒体２１において、等距離に、若干の係止孔２１１が設けられ、係止孔２１１の両端に、それぞれ、挿設槽２１２が設けられ、枢着部２２に、枢着孔２２１が設けられ、枢着部２２の端縁に、傾斜状凹み円弧抵当面２２２が設置され、該傾斜状凹み円弧抵当面２２２に、抵当突出ブロック（図に未表示）が形成される。
【００２７】
カンチレバー２の枢着部２２を、円嵌合体１の両枢着耳１２の間にセットして、枢着軸３で、両枢着耳１２の貫通孔１２１とカンチレバー２枢着部２２の枢着孔２２1に枢着することにより、カンチレバー２が、上下に可動的に回転できるようになる。
【００２８】
上記の具体的な実施例の構造によれば、本考案に、次の利点が得られる。
【００２９】
１、そのサポートバーは、下へカンチレバー２を回転することにより、カンチレバー２枢着部２２の抵当面２２２上の抵当突出ブロック２２３が、円嵌合体１の弾性押さえ片１４の抵当突出１４１に付勢して、弾性押さえ片１４が、円嵌合体１の内縁面に合わせて立て柱４を挟み持って位置付けられ、そのため、操作が便利で、位置付け安定性がよく、外力による衝突や振動により、サポートバーが、下へ滑り落ちることや変位することなく、実用性が向上される。
【００３０】
２、そのサポートバーは、カンチレバー２を回転することにより、立て柱４に挟み持って、位置付けられるため、加工誤差によって、サポートバーが組立てられた後、角度が偏移することを防止でき、より良い使用便利性が得られる。
【００３１】
そのため、本考案は、より進歩的かつより実用的で、法に従って実用新案登録請求を出願する。
【００３２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３３】
【図１】従来の外観立体図
【図２】従来の組立て概念図
【図３】本考案の立体分解図
【図４】本考案の立体組立て図
【図５】本考案の組立て断面図
【図６】本考案の回転締りの作動概念図
【図７】本考案の使用状態図
【図８】本考案の他の使用状態図
【図９】本考案の更に他の使用状態図
【図１０】本考案の更に他の実施例の立体分解図
【符号の説明】
【００３４】
従来
１０      サポートバー
１０１    カンチレバー
１０２    嵌合部
１０２１  スリーブ
１０２２  円弧片
１０２３  凸起部
１０３    連接スリーブ
２０      立て柱
本考案
１        円嵌合体
１１      嵌合孔
１２      枢着耳
１２１    貫通孔
１３      中空槽
１４      弾性押さえ片
１４１    抵当突出
２        カンチレバー
２１      棒体
２１１    係止孔
２１２    挿設槽
２２      枢着部
２２１    枢着孔
２２２    抵当面
２２３    抵当突出ブロック
２３      連接スリーブ
２４      ホック部
３        枢着軸
４        立て柱
５        ハンガー
６        横棒
７        サポートバー
【図１】
0003155794.tif 000003
【図２】
0003155794.tif 000004
【図３】
0003155794.tif 000005
【図４】
0003155794.tif 000006
【図５】
0003155794.tif 000007
【図６】
0003155794.tif 000008
【図７】
0003155794.tif 000009
【図８】
0003155794.tif 000010
【図９】
0003155794.tif 000011
【図１０】
0003155794.tif 000012